(57)【要約】【課題】上面カバーの意図しない角度変化を防止する。【解決手段】固定部１８に対するガイド部材１７Ｌ、１７Ｒの固定位置変更に基づいて上面可動カバー１４Ｌ、１４Ｒの角度調節を行う歩行型管理機１であって、ガイド部材１７Ｌ、１７Ｒは、締結部材１９の軸部１９ａと係合して上面可動カバー１４Ｌ、１４Ｒの角度を規定する複数の係合溝１７ａと、複数の係合溝１７ａに連通する長孔状のガイド孔１７ｂとを有し、締結部材１９と固定部１８との間には、ガイド部材１７Ｌ、１７Ｒと規制部材２２とが共締めされ、該規制部材２２は、締結部材１９の締結状態においてガイド部材１７Ｌ、１７Ｒに所定方向から係合し、締結部材１９の軸部１９ａとガイド部材１７Ｌ、１７Ｒの係合溝１７ａとの係合解除を規制する第１係合部２２ｃを備える。【選択図】図３
2016039782.tif 000002
【特許請求の範囲】
【請求項１】
土壌を耕耘する耕耘部と、
耕耘部の上方を覆う上面カバーと、
上面カバーを角度変更自在に支持するヒンジ部と、
上面カバーの上面部に上下回動自在に設けられるガイド部材と、
ガイド部材を固定部に固定する締結部材とを備え、
固定部に対するガイド部材の固定位置変更に基づいて上面カバーの角度調節を行う耕耘装置であって、
前記ガイド部材は、
締結部材の軸部と係合して上面カバーの角度を規定する複数の係合溝と、
複数の係合溝に連通する長孔状のガイド孔とを有し、
上面カバーの角度調節は、締結部材を緩めた状態で、締結部材の軸部をガイド孔を介して他の係合溝に係合させることにより行われ、
さらに、締結部材と固定部との間には、ガイド部材と規制部材とが共締めされ、該規制部材は、締結部材の締結状態においてガイド部材に所定方向から係合し、締結部材の軸部とガイド部材の係合溝との係合解除を規制する第１係合部を備えることを特徴とする耕耘装置。
【請求項２】
前記規制部材は、締結部材を緩めた状態において固定部に係合し、規制部材を回止めする第２係合部を備えることを特徴とする請求項１に記載の耕耘装置。
【請求項３】
前記規制部材は、１枚の金属板を加工して形成されることを特徴とする請求項１又は２に記載の耕耘装置。
【発明の詳細な説明】
【技術分野】
【０００１】
本発明は、歩行型管理機等の耕耘装置に関する。
【背景技術】
【０００２】
耕耘部の上方を覆う上面カバーを備えるとともに、該上面カバーの角度を調節可能にした耕耘装置が知られている（例えば、特許文献１参照）。このような耕耘装置によれば、例えば畝の間を耕耘する中耕作業を行う場合に、耕耘部によって跳ね上げた耕耘土を上面カバーで機体外側方に案内し、畝上の作物の根元部に耕耘土を供給する、所謂土寄せ作業を効率良く行うことが可能になる。
【０００３】
特許文献１に示される耕耘装置は、上面カバーを角度変更自在に支持するヒンジ部と、上面カバーの上面部に上下回動自在に設けられるガイド部材と、ガイド部材を固定部に固定する締結部材とを備え、固定部に対するガイド部材の固定位置変更に基づいて上面カバーの角度調節を行うようになっている。具体的に説明すると、ガイド部材は、締結部材の軸部と係合して上面カバーの角度を規定する複数の係合溝と、複数の係合溝に連通する長孔状のガイド孔とを有し、上面カバーの角度調節は、締結部材を緩めた状態で、締結部材の軸部をガイド孔を介して他の係合溝に係合させることにより行われるようになっている。
【先行技術文献】
【特許文献】
【０００４】
【特許文献１】特開平１０−２７６５０３号公報
【発明の概要】
【発明が解決しようとする課題】
【０００５】
しかしながら、この種の耕耘装置に設けられる上面カバーは、耕耘部が跳ね上げた石や異物によって大きな衝撃を受けることがあり、このような衝撃を受けると、ガイド部材の係合溝が締結部材の軸部から外れ、それに伴って上面カバーの角度がずれてしまう惧れがあった。
【課題を解決するための手段】
【０００６】
本発明は、上記の如き実情に鑑みこれらの課題を解決することを目的として創作されたものであって、土壌を耕耘する耕耘部と、耕耘部の上方を覆う上面カバーと、上面カバーを角度変更自在に支持するヒンジ部と、上面カバーの上面部に上下回動自在に設けられるガイド部材と、ガイド部材を固定部に固定する締結部材とを備え、固定部に対するガイド部材の固定位置変更に基づいて上面カバーの角度調節を行う耕耘装置であって、前記ガイド部材は、締結部材の軸部と係合して上面カバーの角度を規定する複数の係合溝と、複数の係合溝に連通する長孔状のガイド孔とを有し、上面カバーの角度調節は、締結部材を緩めた状態で、締結部材の軸部をガイド孔を介して他の係合溝に係合させることにより行われ、さらに、締結部材と固定部との間には、ガイド部材と規制部材とが共締めされ、該規制部材は、締結部材の締結状態においてガイド部材に所定方向から係合し、締結部材の軸部とガイド部材の係合溝との係合解除を規制する第１係合部を備えることを特徴とする。
また、前記規制部材は、締結部材を緩めた状態において固定部に係合し、規制部材を回止めする第２係合部を備えることを特徴とする。
また、前記規制部材は、１枚の金属板を加工して形成されることを特徴とする。
【発明の効果】
【０００７】
請求項１の発明によれば、耕耘部が跳ね上げた石や異物によって上面カバーが大きな衝撃を受けても、ガイド部材の係合溝と締結部材の軸部との係合解除を確実に規制し、上面カバーの意図しない角度変化を防止することができる。
また、請求項２の発明によれば、締結部材を緩めた状態において規制部材が回止めされるので、上面カバーの角度調節作業を円滑に行うことができる。
また、請求項３の発明によれば、規制部材は、１枚の金属板を加工して形成されるので、構造の簡略化及びコストダウンを図ることができる。
【図面の簡単な説明】
【０００８】
【図１】歩行型管理機の斜視図である。
【図２】上面カバーの角度調節部を示す背面図である。
【図３】上面カバーの角度調節部を示す側面図である。
【図４】（Ａ）は規制部材の斜視図、（Ｂ）は規制部材の正面図、（Ｃ）は規制部材の側面図である。
【図５】第２実施形態に係る規制部材が適用された上面カバーの角度調節部を示す背面図である。
【図６】第２実施形態に係る規制部材が適用された上面カバーの角度調節部を示す側面図である。
【図７】（Ａ）は第２実施形態に係る規制部材の斜視図、（Ｂ）は第２実施形態に係る規制部材の正面図、（Ｃ）は第２実施形態に係る規制部材の側面図である。
【発明を実施するための形態】
【０００９】
以下、本発明の実施の形態について、図面に基づいて説明する。図１において、１は歩行型管理機（耕耘装置）であって、該歩行型管理機１は、エンジン２、ミッションケース３、左右一対の車輪４、操縦ハンドル５等を備えて構成されており、機体後部の作業機装着部６には、畝間を走行しながら作物の根元部に覆土を行う中耕ロータリ装置７が装着されている。
【００１０】
中耕ロータリ装置７は、ミッションケース３から伝動される作業動力で回転駆動されるロータリ耕耘軸（図示せず）、ロータリ耕耘軸に取付けられる複数の耕耘爪８（耕耘部）、耕耘爪８の上方を覆う上面カバー９、耕耘爪８の側方を覆う左右一対の側面カバー１０、耕耘爪８の後方を覆うリヤカバー１１、耕耘深さを規定する尾輪１２等を備えて構成されている。
【００１１】
上面カバー９は、その左右中央部分を構成する上面固定カバー１３と、その左右両側部分を構成する左右一対の上面可動カバー１４Ｌ、１４Ｒ（上面カバー）とを備えている。左右の上面可動カバー１４Ｌ、１４Ｒは、前後方向に沿うヒンジ部１５を介して上面固定カバー１３の左右両端部に上下回動自在に連結されている。つまり、左右の上面可動カバー１４Ｌ、１４Ｒは、図１〜図３に示すように、略水平な姿勢から、ヒンジ部１５を支点として外側が上方に跳ね上げられた傾斜姿勢に変姿自在であるとともに、その回動範囲内における段階的な角度調節が可能となっている。
【００１２】
上面カバー９の上部には、上面可動カバー１４Ｌ、１４Ｒの角度を調節するための角度調節部１６が設けられている。角度調節部１６は、上面可動カバー１４Ｌ、１４Ｒの上面部に上下回動自在に設けられるガイド部材１７Ｌ、１７Ｒと、上面固定カバー１３に立設される固定部１８と、ガイド部材１７Ｌ、１７Ｒの先端側を固定部１８に固定する締結部材１９とを備えており、固定部１８に対するガイド部材１７Ｌ、１７Ｒの固定位置変更に基づいて上面可動カバー１４Ｌ、１４Ｒの角度調節を行うように構成されている。
【００１３】
本実施形態のガイド部材１７Ｌ、１７Ｒは、円弧状に湾曲したリンク形状の金属板で構成されている。ガイド部材１７Ｌ、１７Ｒの基端部は、上面可動カバー１４Ｌ、１４Ｒの上面部に突設されるブラケット２０に対し、前後方向に沿うピン２１を介して上下回動自在に連結されている。一方、ガイド部材１７Ｌ、１７Ｒの先端側には、締結部材１９の軸部１９ａと係合して上面可動カバー１４Ｌ、１４Ｒの角度を規定する複数の係合溝１７ａと、複数の係合溝１７ａに連通する長孔状のガイド孔１７ｂとを有しており、上面可動カバー１４Ｌ、１４Ｒの角度調節は、締結部材１９を緩めた状態で、締結部材１９の軸部１９ａをガイド孔１７ｂを介して他の係合溝１７ａに係合させることにより行われる。
【００１４】
例えば、図２においては、締結部材１９の軸部１９ａがガイド部材１７Ｌ、１７Ｒの最も先端側の係合溝１７ａに係合しており、この状態では、上面可動カバー１４Ｌ、１４Ｒが水平姿勢となる。ここで締結部材１９を緩めた後、ガイド部材１７Ｌ、１７Ｒを上方に回動させると、ガイド部材１７Ｌ、１７Ｒの係合溝１７ａと締結部材１９の軸部１９ａとの係合が解除される。この状態では、締結部材１９の軸部１９ａをガイド孔１７ｂを介して他の係合溝１７ａに係合させることが可能であり、締結部材１９の軸部１９ａを他の係合溝１７ａに係合させると、ガイド部材１７Ｌ、１７Ｒの有効長さが短くなるのに伴い、上面可動カバー１４Ｌ、１４Ｒが傾斜姿勢となる。そして、その傾斜角度は、締結部材１９の軸部１９ａを係合させる係合溝１７ａの選択により段階的に調節される。
【００１５】
本実施形態の締結部材１９は、ノブ付きボルトであり、締結部材１９と固定部１８との間には、左側の上面可動カバー１４Ｌに連結されるガイド部材１７Ｌの先端側と、右側の上面可動カバー１４Ｒに連結されるガイド部材１７Ｒの先端側とが共締めされるが、さらに、締結部材１９と固定部１８との間には、図２〜図４に示す規制部材２２も共締めされるようになっている。
【００１６】
本実施形態の規制部材２２は、側面視逆Ｌ字状に曲げ加工された金属板２３に金属片２４を溶着して構成されており、その中心部には、締結部材１９の軸部１９ａが貫通する孔２２ａが形成されている。金属板２３の上端部には、前方に突出する突出片２３ａが形成されており、この突出片２３ａが第２係合部２２ｂとして機能するようになっている。また、金属片２４は、金属板２３の前面上端部に溶着により一体形成されて第１係合部２２ｃとして機能するようになっている。
【００１７】
図３に示すように、規制部材２２の第１係合部２２ｃは、締結部材１９の締結状態においてガイド部材１７Ｌ、１７Ｒに上方から係合し、締結部材１９の軸部１９ａとガイド部材１７Ｌ、１７Ｒの係合溝１７ａとの係合解除を規制している。一方、締結部材１９を緩めると、第１係合部２２ｃがガイド部材１７Ｌ、１７Ｒの上方位置から後方に退避し、ガイド部材１７Ｌ、１７Ｒの上方への回動操作が許容される。これにより、締結部材１９の軸部１９ａをガイド孔１７ｂを介して他の係合溝１７ａに係合させ、上面可動カバー１４Ｌ、１４Ｒの角度を調節することが可能になる。
【００１８】
また、規制部材２２の第２係合部２２ｂは、締結部材１９を緩めた状態においても固定部１８の上端部に係合し、規制部材２２を回止めしている。これにより、上面可動カバー１４Ｌ、１４Ｒの角度調節を行うべく締結部材１９を緩めた際に、規制部材２２が回り、角度調節作業を阻害するような不都合を解消することができる。
【００１９】
叙述の如く構成された本実施形態によれば、土壌を耕耘する耕耘爪８と、耕耘爪８の上方を覆う上面可動カバー１４Ｌ、１４Ｒと、上面可動カバー１４Ｌ、１４Ｒを角度変更自在に支持するヒンジ部１５と、上面可動カバー１４Ｌ、１４Ｒの上面部に上下回動自在に設けられるガイド部材１７Ｌ、１７Ｒと、ガイド部材１７Ｌ、１７Ｒを固定部１８に固定する締結部材１９とを備え、固定部１８に対するガイド部材１７Ｌ、１７Ｒの固定位置変更に基づいて上面可動カバー１４Ｌ、１４Ｒの角度調節を行う歩行型管理機１であって、ガイド部材１７Ｌ、１７Ｒは、締結部材１９の軸部１９ａと係合して上面可動カバー１４Ｌ、１４Ｒの角度を規定する複数の係合溝１７ａと、複数の係合溝１７ａに連通する長孔状のガイド孔１７ｂとを有し、上面可動カバー１４Ｌ、１４Ｒの角度調節は、締結部材１９を緩めた状態で、締結部材１９の軸部１９ａをガイド孔１７ｂを介して他の係合溝１７ａに係合させることにより行われ、さらに、締結部材１９と固定部１８との間には、ガイド部材１７Ｌ、１７Ｒと規制部材２２とが共締めされ、該規制部材２２は、締結部材１９の締結状態においてガイド部材１７Ｌ、１７Ｒに所定方向から係合し、締結部材１９の軸部１９ａとガイド部材１７Ｌ、１７Ｒの係合溝１７ａとの係合解除を規制する第１係合部２２ｃを備えるので、耕耘爪８が跳ね上げた石や異物によって上面可動カバー１４Ｌ、１４Ｒが大きな衝撃を受けても、ガイド部材１７Ｌ、１７Ｒの係合溝１７ａと締結部材１９の軸部１９ａとの係合解除を確実に規制し、上面可動カバー１４Ｌ、１４Ｒの意図しない角度変化を防止することができる。
【００２０】
また、規制部材２２は、締結部材１９を緩めた状態において固定部１８に係合し、規制部材２２を回止めする第２係合部２２ｂを備えるので、上面可動カバー１４Ｌ、１４Ｒの角度調節作業を円滑に行うことができる。
【００２１】
つぎに、本発明の第２実施形態に係る規制部材２２Ｂについて、図５〜図７を参照して説明する。ただし、前記実施形態と共通する部分については、前記実施形態と同じ符号を付与することにより、前記実施形態の説明を援用する。
【００２２】
本発明の第２実施形態に係る規制部材２２Ｂは、１枚の金属板２５を加工して形成されている点が前記実施形態の規制部材２２と相違している。具体的には、１枚の金属板２５の上端部２５ａを前方に曲げ、締結部材１９の締結状態においてガイド部材１７Ｌ、１７Ｒに上方から係合する第１係合部２２ｃとして機能させる一方、同金属板２５の下端部から左右に突出する一対の突片２５ｂを前方に曲げ、締結部材１９を緩めた状態において固定部１８に左右から係合して規制部材２２Ｂを回止めする第２係合部２２ｂとして機能させる。このような規制部材２２Ｂによれば、１枚の金属板２５を加工して形成されることにより、構造の簡略化及びコストダウンを図ることができる。
【符号の説明】
【００２３】
１      歩行型管理機
７      中耕ロータリ装置
８      耕耘爪
９      上面カバー
１３    上面固定カバー
１４    上面可動カバー
１５    ヒンジ部
１６    角度調節部
１７    ガイド部材
１７ａ  係合溝
１７ｂ  ガイド孔
１８    固定部
１９    締結部材
１９ａ  軸部
２２    規制部材
２２ａ  孔
２２ｂ  第２係合部
２２ｃ  第１係合部
【図１】
2016039782.tif 000003
【図２】
2016039782.tif 000004
【図３】
2016039782.tif 000005
【図４】
2016039782.tif 000006
【図５】
2016039782.tif 000007
【図６】
2016039782.tif 000008
【図７】
2016039782.tif 000009